(57)【要約】【課題】組み立て性を低下させることなく操作部材関連及び発光関連の基板を集約して、部品点数を削減すると共に小型化を図る。【解決手段】ストロボ操作基板４３には、ストロボ回路と上面操作部材に対応するスイッチ類とが実装される。仮ユニット２０においては、位置決め穴４３ａが位置決め部７１ｄに係合することで、光軸方向と左右方向とにおいて電池収納部材７１に対するストロボ操作基板４３が位置決めされる。それと共に、ストロボ操作基板４３は、遊びを持った係合状態にある係合部４１ａ及び被係合部７１ａを上方から覆うように配置され、フック部７１ｅによりストロボ操作基板４３の後縁部が所定の隙間を保って上下方向から挟持される。発光部ホルダ４１と電池収納部材７１とは、一体となった仮ユニット２０とされた状態で前カバー３に対して各々位置決めされて固定される。【選択図】図９
2012133181.tif 000002
【特許請求の範囲】
【請求項１】
発光部を保持する発光部ホルダと、
前記発光部を発光させるための電子部品が実装され、前記発光部ホルダに取り付けられる基板と、
電池が収納されるとともに、前記発光部ホルダと前記基板とが一体化されたユニットに取り付けられる電池収納部材とを有し、
前記電池収納部材には前記ユニットのうち前記基板との位置決めを行う位置決め部と前記ユニットのうち前記発光部ホルダの係合部と係合する被係合部とが形成され、
前記ユニットのうち前記基板が前記位置決め部に位置決めされるとき、前記係合部が前記被係合部に遊びを持って係合することを特徴とする撮像装置。
【請求項２】
前記電池収納部材には前記ユニットのうち前記基板の縁を挟持するフック部が形成され、前記ユニットに前記電池収納部材を取り付ける際には、前記ユニットのうち前記基板の縁を前記フック部に挟持させた後に前記ユニットのうち前記基板が前記電池収納部材の前記位置決め部に位置決めされ、且つ、前記基板が前記電池収納部材の前記位置決め部に位置決めされる前に前記係合部が前記被係合部に遊びを持って係合することを特徴とする請求項１に記載の撮像装置。
【請求項３】
前記フック部は前記電池収納部材に対して前記基板を上下方向に規制し、前記位置決め部は前記電池収納部材に対して前記基板を光軸方向と光軸方向及び上下方向の双方に垂直な方向とに規制し、前記被係合部は前記電池収納部材に対して前記係合部を光軸方向と光軸方向及び上下方向の双方に垂直な方向とに規制することを特徴とする請求項２に記載の撮像装置。
【請求項４】
前記係合部は、Ｌ字の鉤型に形成され、前記被係合部は、前記係合部に対して嵌合的な形状の凹部であることを特徴とする請求項１乃至３のいずれか１項に記載の撮像装置。
【請求項５】
前記係合部は、光軸方向及び上下方向の双方に垂直な方向において、前記電池収納部材の方向に延設された第１の延出部と、該第１の延出部の先端部から、該第１の延出部に対して直角に延設された第２の延出部とからなることを特徴とする請求項４に記載の撮像装置。
【請求項６】
前記第２の延出部の延設方向は、光軸方向における前記フック部が設けられた側の方向であることを特徴とする請求項５に記載の撮像装置。
【発明の詳細な説明】
【技術分野】
【０００１】
本発明は、発光部ホルダと電池収納部材とが共に被取り付け部材に固定される撮像装置に関する。
【背景技術】
【０００２】
従来、撮像装置として例えばデジタルカメラは、現在、低コスト化と小型化が求められている。低コスト化のためには、カメラ内における回路基板構成の集約が有効である。通常、デジタルカメラには、ストロボの発光回路を実装したストロボ基板や、シャッターボタンやズームレバー等の操作部材に対応するスイッチ類や付随する電気回路を実装した上面操作基板が装備されている。
【０００３】
特許文献１には、ストロボ発光部に、ストロボの発光回路を実装したストロボ配線基板を取り付けてユニット化したストロボユニットが示されている。また、シャッターボタン用のレリーズスイッチ、電源ボタン、ＡＦ補助光用の発光ダイオード、モードダイアルが実装された上面操作基板も示されている。ストロボ配線基板には、接続コネクタが設けてあり、上面操作基板を介して、ＣＰＵ、メモリ、画像処理ＬＳＩ、電源回路等が実装されているメイン配線基板に電気的に接続されている。ストロボ発光部に、ストロボの発光回路を実装したストロボ配線基板を取り付けてユニット化することで、いくらかのコストダウンが図られている。
【先行技術文献】
【特許文献】
【０００４】
【特許文献１】特開２０１０−４９１７５号公報
【発明の概要】
【発明が解決しようとする課題】
【０００５】
しかしながら、上記の特許文献１に開示された従来技術では、ストロボ配線基板に接続コネクタを設け、上面操作基板に各信号線を中継しているため、基板が２つ存在する。そのため、接続コネクタや、それぞれの基板を係止するための係止部材が必要となっており、部品点数が多く、コストダウンや小型化の妨げにもなっている。ところで、複数の構成部品を組み立てる上で、組み立て性の低下は避けなければならない。
【０００６】
本発明は上記従来技術の問題を解決するためになされたものであり、その目的は、組み立て性を低下させることなく操作部材関連及び発光関連の基板を集約して、部品点数を削減すると共に小型化を図ることにある。
【課題を解決するための手段】
【０００７】
上記目的を達成するために本発明は、発光部を保持する発光部ホルダと、前記発光部を発光させるための電子部品が実装され、前記発光部ホルダに取り付けられる基板と、電池が収納されるとともに、前記発光部ホルダと前記基板とが一体化されたユニットに取り付けられる電池収納部材とを有し、前記電池収納部材には前記ユニットのうち前記基板との位置決めを行う位置決め部と前記ユニットのうち前記発光部ホルダの係合部と係合する被係合部とが形成され、前記ユニットのうち前記基板が前記位置決め部に位置決めされるとき、前記係合部が前記被係合部に遊びを持って係合することを特徴とする。
【発明の効果】
【０００８】
本発明によれば、組み立て性を低下させることなく操作部材関連及び発光関連の基板を集約して、部品点数を削減すると共に小型化を図ることができる。
【図面の簡単な説明】
【０００９】
【図１】本発明の一実施の形態に係る撮像装置の斜視図である。
【図２】デジタルカメラの構成を示す分解斜視図である。
【図３】ストロボユニットの構成を示す分解斜視図、正面図である。
【図４】図３（ｂ）のＡ−Ａ線に沿う断面図、係合部の拡大斜視図である。
【図５】電池収納部ユニットの正面図、斜視図である。
【図６】電池収納部ユニットの被係合部近傍の拡大図、電池収納部ユニットの斜視図である。
【図７】前カバーの内側（背面側）を示す斜視図、上面操作ユニットを示す斜視図である。
【図８】図７（ｂ）のＢ−Ｂ線に沿う断面図、仮ユニットの完成状態を示す正面側の斜視図である。
【図９】仮ユニットの組立工程を示す図、係合部付近を拡大した図である。
【図１０】仮ユニットを前カバーに組み付ける工程、鏡筒及びメイン配線基板の組み立て工程を示す斜視図である。
【図１１】操作フレキ及び液晶ユニットの組み立て工程、上面操作ユニットの組み立て工程を示す図である。
【図１２】後カバーユニット及び電池蓋の組み立て工程を示す斜視図である。
【発明を実施するための形態】
【００１０】
以下、本発明の実施の形態を図面を参照して説明する。
【００１１】
図１は、本発明の一実施の形態に係る撮像装置の斜視図である。図１（ａ）は斜め正面、図１（ｂ）は斜め背面から見た斜視図である。この撮像装置は、デジタルカメラ１００として構成される。
【００１２】
図１（ａ）に示すように、デジタルカメラ１００の正面ほぼ中央に鏡筒１がある。鏡筒１には鏡筒レンズ（不図示）が含まれ、撮影レンズの対称軸が光軸２である。デジタルカメラ１００の上部には上面操作ユニット５０が配設されている。以降、光軸方向（光軸２に沿う方向）が前後方向であり、特に被写体側を正面乃至前側とする。上下方向については、図１（ａ）、（ｂ）に示すように上面操作ユニット５０が上方に位置する状態で呼称する。また、光軸方向及び上下方向の双方に垂直な方向が左右方向であり、左と右については、操作者から見た方向で呼称する。例えば、上面操作ユニット５０は、デジタルカメラ１００の上部における右部に配置される。
【００１３】
図１（ａ）に示すように、デジタルカメラ１００の正面の光軸２に垂直な面が、「被取り付け部材」としての前カバー３によって覆われている。前カバー３の周囲はデザイン上の配慮で大きな曲面で削り取られている。しかし、主要な部分の寸法は光軸２に垂直な面で管理されている。鏡筒１の左上にストロボ発光窓４がある。ストロボ発光窓４はデザイン上の配慮で大きな曲面にかかっているが、光学的な性能は光軸２に合わせて管理されている。
【００１４】
デジタルカメラ１００の上部右部は上面操作ユニット５０の上面カバー５に覆われている。上面カバー５には、上面操作部材として、電源ボタン５１、シャッターボタン５２、ズームレバー５３及びモードダイアル５４が設けられている。
【００１５】
電源ボタン５１を押すことでデジタルカメラ１００は休止状態から抜け出し、鏡筒１は図１（ａ）に示した沈胴状態から鏡筒１が繰り出し撮影可能な状態に変化する。この状態で電源ボタン５１を押すと、デジタルカメラ１００は撮影可能な状態から撮影レンズを繰り込んだ沈胴状態に戻る。沈胴状態に戻ると、デジタルカメラ１００は電源ボタン５１の操作以外には反応しない節電の状態になる。電源ボタン５１を押して撮影可能な状態にあるとき、シャッターボタン５２を押すと撮影が行われる。
【００１６】
モードダイアル５４は撮影モードや再生モードといったモードの切り替えを行う。モードダイアル５４の回転位置はその位置固有の電気接点が入るように構成している。そのため、撮影可能な状態で動かしても、休止状態で動かしても、そのモードダイアル５４の位置変化を受け付け、休止状態の場合、次に電源ボタン５１を押したとき、その位置に応じたモードに切り替えられている。
【００１７】
電源ボタン５１、シャッターボタン５２を押す方向は、下方、すなわち、デジタルカメラ１００の上面に垂直な方向である。デジタルカメラ１００の上面は光軸２に平行な面なので、電源ボタン５１、シャッターボタン５２を押す方向は、光軸２にも垂直である。ズームレバー５３とモードダイアル５４の回転軸は、上下方向に沿っている。従って、ズームレバー５３とモードダイアル５４の回転軸も光軸２に垂直である。
【００１８】
前カバー３と同様に、デジタルカメラ１００の上面の一部を構成する上面カバー５の周囲は、デザイン上の配慮で大きな曲面で削り取られている。しかし、主要な部分の寸法は光軸２に平行な面で管理されている。
【００１９】
図１（ｂ）に示すように、デジタルカメラ１００の背面の光軸２に垂直な面が後カバー６によって覆われている。後カバー６の背面左側から中央にかけて液晶表示窓６１が配置される。液晶表示窓６１の内側（前側）に液晶表示器８（図２参照）が設けてある。光学ファインダを持たない本デジタルカメラ１００では、撮影レンズから取り込んだ光を撮像素子１２（図２参照）に結像させ、電気信号に変える。そしてその電気信号がデジタル信号に変換された後、液晶表示器８に表示され、撮像する被写体像の確認や、撮像された画像の再生表示に用いられる。
【００２０】
液晶表示窓６１の右横には、操作ボタン群６２が設けられている。操作ボタン群６２には、中央の十字キーも含まれている。操作ボタン群６２は、例えば、デジタルカメラ１００に対して、撮影条件の変更、液晶表示の形態の変更、再生画面への切換えといった機能を指示する際に利用される。
【００２１】
次に、デジタルカメラ１００の構成について説明する。
【００２２】
図２は、デジタルカメラ１００の構成を示す分解斜視図である。デジタルカメラ１００は前カバー３に対して各ユニットが組み付けられる。これらのユニットとしては、上面操作ユニット５０、ストロボユニット４０、電池収納部ユニット７０、鏡筒１、液晶ユニット８０、後カバーユニット６０がある。また、後述するように、ストロボユニット４０と電池収納部ユニット７０とは、一体となった仮ユニット２０とされた状態で前カバー３に固定される。仮ユニット２０においては、ストロボユニット４０と電池収納部ユニット７０とは左右方向に並び、ストロボユニット４０が左側に位置する。
【００２３】
図３（ａ）は、ストロボユニット４０の構成を示す分解斜視図である。図３（ｂ）は、ストロボユニット４０の正面図である。図４（ａ）は、図３（ｂ）のＡ−Ａ線に沿う断面図である。
【００２４】
図３（ｂ）に示すように、ストロボユニット４０は、ストロボ発光部４１０、ストロボ発光部４１０を収納する発光部ホルダ４１、ストロボ操作基板４３、上面からストロボ発光部４１０を覆う略コの字状の発光部カバー４４、及びスピーカ４５で構成されている。ストロボユニット４０は、これらが一体化したユニットとなっている。発光部ホルダ４１の正面には、前カバー３に取り付けられるための位置決め部４１ｄとビス穴４１ｅが設けてある。図４（ａ）に示すように、ストロボ発光部４１０は、反射笠４１１、発光管４１２、ストロボ発光窓４、メインコンデンサ４１４等から構成される。ストロボ発光部４１０は、発光部ホルダ４１に組み付けられる。
【００２５】
ストロボ発光部４１０は、鏡筒１の撮影レンズの撮影範囲を照射するため、光軸２との位置関係を保つ必要がある。そのため、ストロボ発光部４１０は、鏡筒１を取り付ける面と平行で光軸に垂直な面に位置決めして取り付けることが望ましい。
【００２６】
ストロボユニット４０は、次のようにして組み立てられる。まず、図３（ａ）に示すように、ストロボ発光部４１０とストロボ操作基板４３を不図示の治具に固定し、その状態でリード線４２を半田付けする。各リード線４２は、ストロボ操作基板４３に実装されたストロボ回路、発光部ホルダ４１に組み込まれた発光管４１２、トリガ信号を伝える反射笠４１１、及びメインコンデンサ４１４と電気的に結合されている。その結果、発光部ホルダ４１とストロボ操作基板４３の２つの部品は位置関係が決まり、かつ相互間に柔軟性を持つ（少し可動できる）ようになる。
【００２７】
発光部カバー４４は、発光部ホルダ４１と協働してストロボ操作基板４３を上下から挟むように、発光部ホルダ４１に対してスナップフィット４４ａで締結される。その後、スピーカ４５を発光部カバー４４に両面テープにより接着固定することで、ストロボユニット４０が完成する。このような構成とすることで、ストロボユニット４０は、ストロボ機能の確認をユニットの状態で発光させることによって行えるようになっている。従って、ストロボ諸特性（配光特性、ガイドナンバー等）を測定しユニット保障するのに有利である。
【００２８】
ユニット状態において、ストロボ操作基板４３は発光部ホルダ４１と発光部カバー４４とに所定の隙間を設けて挟み込まれる構成になっている。つまり、ストロボ操作基板４３が、デジタルカメラ１００の上面に垂直な方向に大きな変形を与えても、ストロボ発光部４１０とストロボ操作基板４３を繋ぐリード線４２に異常な力が加わることがない。また、発光部カバー４４は、ユニット状態において、トリガーコイル４１３やストロボ操作基板４３上に実装されたストロボ電気部品４３１を覆うことで、カメラ外部からの静電気の飛び込みを軽減させることができる。
【００２９】
ストロボ操作基板４３には、ストロボ回路と上面操作部材用のスイッチ等が取り付けられている。すなわち、１枚のストロボ操作基板４３に、ストロボ発光部４１０を発光させるための電子部品であるストロボ電気部品４３１等のストロボ回路と、上面操作ユニット５０の電源ボタン５１等の上面操作部材に対応するスイッチ類とが実装されている。これにより、操作部材関連及び発光関連の基板が１つに集約されている。
【００３０】
ユニット状態のストロボユニット４０において、発光部ホルダ４１に対するストロボ操作基板４３の取り付けは、位置決めがなくリード線４２による接続である。そのため、上記したように、発光部ホルダ４１とストロボ操作基板４３とは相互に動ける柔軟性を持っている。
【００３１】
ストロボ操作基板４３のメイン配線基板１１（図２）に対する接続部は、位置決め穴（位置決め対応部）４３ａの近くに設けられている。さらに、ストロボ操作基板４３とメイン配線基板１１を共に電池収納部ユニット７０の電池収納部材７１（図５（ａ））に対して位置決めすることで、上記接続部のずれが生じにくくなるような構成になっている。
【００３２】
図３（ａ）に示すように、発光部ホルダ４１の上部の右部には、係合部４１ａが設けられている。係合部４１ａは、仮ユニット２０において電池収納部材７１の側（右方）に突設形成される。
【００３３】
図４（ｂ）は、発光部ホルダ４１に設けた係合部４１ａの拡大斜視図である。係合部４１ａは、いずれもリブ状の第１の延出部４１ｂと第２の延出部４１ｃとからなり、平面視で（上方から見て）Ｌ字の鉤型を呈する。第１の延出部４１ｂが、発光部ホルダ４１の上部の左部から右方（電池収納部材７１の側）に延出している。そして、第１の延出部４１ｂの先端部から、第２の延出部４１ｃが、後方に延出している。第１の延出部４１ｂの延設方向と第２の延出部４１ｃの延設方向は直角である。
【００３４】
図５（ａ）は、電池収納部ユニット７０を示す正面図である。電池収納部材７１は、電源電池（不図示）を収納、保持するためのものである。図５（ａ）に示すように、電池収納部材７１の正面には、前カバー３に取り付けられるための位置決め部７１ｆとビス穴７１ｇが設けてある。また、電池収納部材７１と前カバー３との間に上面カバー５を挟み込んで上面カバー５を共締めするのに用いられる１つのビス穴７１ｈが設けられる。
【００３５】
図５（ｂ）は、電池収納部ユニット７０を斜め上方後方から見た斜視図である。電池収納部材７１の後面には、位置決め部７１ｉ、ビス座７１ｊ、位置決め部７１ｋ、ビス座７１ｍが設けられている。電池収納部材７１の上面は光軸２に平行な面（水平面）であり、上面には、フック部７１ｅ、被係合部７１ａのほか、ストロボ操作基板４３を位置決めするための位置決め部７１ｄが設けられている。
【００３６】
図６（ａ）は、電池収納部ユニット７０の上面の被係合部７１ａ近傍の拡大図である。図６（ｂ）は、電池収納部ユニット７０を斜め下方後方から見た斜視図である。
【００３７】
図６（ａ）に示すように、被係合部７１ａは、発光部ホルダ４１の係合部４１ａ（図４（ｂ））に対応して設けられる。被係合部７１ａは、係合部４１ａに対して嵌合的な形状の凹部として形成され、平面視でＬ字の鉤型を呈する。すなわち、被係合部７１ａは、係合部４１ａの第１の延出部４１ｂと第２の延出部４１ｃとが入り込むための第１の空間７１ｂと第２の空間７１ｃとを有している。ただし、係合部４１ａと被係合部７１ａとは、遊びを持って嵌合するように寸法が設計されている。係合部４１ａと被係合部７１ａが嵌合状態で係合することで、発光部ホルダ４１と電池収納部材７１との前後方向と左右方向の動きがそれぞれ遊びを持った所定範囲に規制される。
【００３８】
ストロボ操作基板４３を位置決めするための位置決め部７１ｄは上面カバー５の位置決めの役割も兼ねている。フック部７１ｅは、電池収納部材７１の上面の後部に設けられ、前方に開口し、側面視でＬ字の鉤型に形成されている。フック部７１ｅにストロボ操作基板４３の後縁部を係合させると、電池収納部材７１の上面とフック部７１ｅの下面との間にストロボ操作基板４３が挟持される。それにより、電池収納部材７１に対するストロボ操作基板４３の上下方向における動きを拘束することができる。ただし、ストロボ操作基板４３が挟持されるフック部７１ｅの下面位置とストロボ操作基板４３の板厚との関係は、互いに寸法管理されており、挟持時において所定の隙間が形成されるようになっている。この所定の隙間の限りにおいて電池収納部材７１に対してストロボ操作基板４３が上下に可動である。
【００３９】
図６（ｂ）に示すように、電池収納部材７１の下部には、電源電池（不図示）を出し入れするための開口部７１１が設けられる。電池収納部材７１の内部上部には、収納された電池を排出する方向（下方）に付勢する電池排出バネ７１２が係止されている。電池収納部材の開口部７１１には、電池ロック機構として、ロック部材７１３のほか、図５（ｂ）に示す軸７１４と、摺動性が高い高分子材料（例えばＰＯＭ）から成る駆動部材７１５と、圧縮コイルバネ等から成る付勢部材７１６とが取り付けられている。
【００４０】
また、電池収納部材７１の下部には、デジタルカメラ１００の外部に露出した三脚座７１７、電池蓋１０（図２参照）を軸支する案内孔７１８が一体的に形成されている。このように、電池収納部材７１は、比較的強度が必要な部分が多いため、ガラス繊維を含有したＰＣ（ポリカーボネート）により形成されている。
【００４１】
図７（ａ）は、前カバー３の内側（背面側）を示す斜視図である。前カバー３の内側にはストロボユニット４０の発光部ホルダ４１を取り付けるためのストロボビス座３ａと電池収納部ユニット７０の電池収納部材７１を取り付けるための電池ビス座３ｂとが設けられている。このほかにも鏡筒１を取り付けるための鏡筒ビス座３ｃ、上面操作部材を組み込んだ上面操作ユニット５０の上面カバー５を呼び込んで取り付けるための上面カバービス座３ｄが設けられている。
【００４２】
ストロボビス座３ａ、電池ビス座３ｂ、鏡筒ビス座３ｃ、上面カバービス座３ｄの座面は、それぞれ光軸に垂直な面である。各２つのビス座３ａ、３ｂ、３ｃに近接して、ストロボ位置決め部３ｅ、電池位置決め部３ｆ、鏡筒位置決め部３ｇが設けられている。ビス座３ａ、３ｂにはそれぞれ、ビス穴４１ｅ（図３（ａ））、ビス穴７１ｇ（図５（ａ））が対応する。前カバー３の上部左部には、ストロボ発光窓４に対応して発光部穴３ｈが設けられている。
【００４３】
図７（ｂ）は、上面操作ユニット５０を示す斜視図である。図８（ａ）は、図７（ｂ）のＢ−Ｂ線に沿う断面図である。上面カバー５の下面には、上面カバー５を電池収納部材７１に位置決めして取り付けるための２つの位置決め穴５ａがある。上面カバー５には、下方に延びた立ち壁部があり、その先端に取付け用の穴５ｂが光軸２に平行な方向に貫通して設けられている。
【００４４】
上面操作ユニット５０を前カバー３に組み付ける。そして、上面カバー５と電池収納部材７１との間にストロボ操作基板４３を挟み込んだ状態で、電池収納部材７１のビス穴７１ｈ（図５（ａ））と上面カバー５の取付け用の穴５ｂと前カバー３の上面カバービス座３ｄ（図７（ａ））とを共締めする。取付け用の穴５ｂがビス穴７１ｈと上面カバービス座３ｄとの間に介在する。このような構成をとることで、ストロボ操作基板４３が固定され、デジタルカメラ１００は高い剛性を得ることができる。また、このような構成により、ストロボ操作基板４３は、光軸２に平行な面でシャッターボタン５２の押し方向に垂直な面に位置決めされる。これにより、上面操作部材とそれらに対応するストロボ操作基板４３上のスイッチとの位置関係が正確となる。
【００４５】
次に、鏡筒１、液晶ユニット８０、後カバーユニット６０及び電池蓋１０の構成を、図２を参照して説明する。
【００４６】
鏡筒１の正面（前側）には、位置決め形状と取付け穴（不図示）が設けられており、鏡筒１は前カバー３に対して光軸方向に組み付けられ、ビス止めして固定できるようになっている。鏡筒１の背面（後側）には、撮像素子１２を取り付けたセンサーフレキシブル配線基板１３が配置されている。以下、「フレキシブル配線基板」を「フレキ」と略記する。メイン配線基板１１には、各種フレキから延びてくる接続部を繋ぐ接続用コネクタのほか、ＣＰＵ、メモリ、画像処理ＬＳＩ、電源回路等が実装されている。
【００４７】
液晶ユニット８０において、液晶補強板８１は液晶表示器８の上下左右の４つの辺部を覆う形状に形成されている。液晶表示器８には、メイン配線基板１１寄りの辺部の略中央部からＡＣＦ（Anisotropic Conductive Film：異方性導電フィルム）接続された不図示の液晶フレキシブル配線基板（以下、液晶ＦＰＣ）が延出している。延出された液晶ＦＰＣは、液晶補強板８１の一部に形成された穴を通り抜けるように組み立てられる。液晶表示器８と液晶補強板８１は、液晶補強板８１に設けられた絞り形状部に貼り付けた両面テープにより接着固定され、液晶ユニット８０が完成する。
【００４８】
液晶補強板８１における液晶表示器８の４つの辺部を覆うように形成された立ち壁部は、液晶表示器８の厚みよりも若干高めに形成されている。これにより、後カバー６に加わった外力が、液晶表示器８ではなく液晶補強板８１に伝達されるようになっている。液晶補強板８１は、操作フレキ１４の受け台も兼ねている。操作フレキ１４には、後カバーユニット６０の操作ボタン群６２のためのスイッチ類が実装されている。
【００４９】
後カバーユニット６０において、後カバー６には、大きな矩形状の穴が設けられ、略無色透明の液晶表示窓６１が後カバーの外側から矩形状の穴を塞ぐように両面テープにより接着固定される。液晶表示窓６１の裏面には枠状に目隠し印刷を施し、その目隠し印刷された部分にロの字状に両面テープを張り付けた後、後カバー６に接着固定している。操作ボタン群６２は、ボタンから延びたバネ性の梁（不図示）の先で張り付けて固定されている。従って、ボタンは脱落せず、且つ光軸２の方向に可動できるようになっている。操作ボタン群６２の先端には突起形状があり、操作フレキ１４に実装されたスイッチを押すことができる。
【００５０】
また、後カバー６の側部には、メイン配線基板１１に実装された外部電源コネクタ及びＵＳＢコネクタをカバーするためのジャックカバー６３が設けられている。ジャックカバー６３は、比較的柔らかい樹脂により成形されており、そのヒンジ部は容易に折り曲げが可能なように構成されている。このようにして、後カバーユニット６０が構成されている。
【００５１】
電池蓋１０には、開閉軸１０１が形成されている。この開閉軸１０１が電池収納部材７１の案内孔７１８（図６（ｂ））にそれぞれ係合して電池蓋１０のヒンジ部を形成し、電池蓋１０が案内孔７１８に沿って移動及び回動が可能となる。
【００５２】
次に、デジタルカメラ１００の組み立て方法を、図２、図９〜図１２で説明する。まず、仮ユニット２０の構成と組み立てについて、図８（ｂ）、図９を参照して説明する。
【００５３】
図８（ｂ）は、仮ユニット２０の完成状態を示す正面側の斜視図である。仮ユニット２０は、ストロボユニット４０と電池収納部ユニット７０とストロボ操作基板４３とが仮固定状態で一体にされたものである。
【００５４】
ここで、仮ユニット２０が前カバー３に組み付けされる際には、ストロボユニット４０、電池収納部ユニット７０は、各々位置決めされて前カバー３に固定される。ストロボユニット４０については、前カバー３のストロボ位置決め部３ｅ（図７（ａ））に発光部ホルダ４１の位置決め部４１ｄ（図３（ａ）、図８（ｂ））が挿入される。その状態で、ストロボビス座３ａ（図７（ａ））及びビス穴４１ｅ（図３（ａ）、図８（ｂ））を介してビスが螺合されることでストロボユニット４０が前カバー３に対して固定される。
【００５５】
一方、ストロボ操作基板４３は、位置決め穴４３ａ（図３（ａ））が電池収納部材７１の上面に設けられた位置決め部７１ｄ（図５（ｂ）、図８（ｂ））に入り、位置決めされる。位置決め部７１ｄは、デジタルカメラ１００の上面に垂直に上方に延びたピンである。
【００５６】
このように１つのユニットに存在する２つの部分（発光部ホルダ４１とストロボ操作基板４３）を異なった方向に位置決めすることになる。そのため、ストロボユニット４０と電池収納部ユニット７０はそれぞれ光軸方向に真っ直ぐ組み立てこと（単純に光軸方向だけに移動させて組み立てること）ができない。従って、ストロボユニット４０と電池収納部ユニット７０とを、位置決め穴４３ａに位置決め部７１ｄを挿入係合させた仮ユニット２０の状態として組み立てる必要が生じる。
【００５７】
図９（ａ）は、仮ユニット２０の組立工程を示す図である。図９（ｂ）は、便宜上、ストロボ操作基板４３を非表示にして係合部４１ａ付近を拡大した図である。
【００５８】
図９（ａ）に示すように、ストロボ操作基板４３の前縁部を少し高くするように傾けた状態で、ストロボ操作基板４３の後縁部を電池収納部材７１のフック部７１ｅに入れ込む（矢印Ａの方向）。その後、ストロボ操作基板４３の前縁部を下げる方向（矢印Ｂの回転方向）に回転させながら位置決め穴４３ａが位置決め部７１ｄに入るようにして組み込む。それと並行して、図９（ｂ）に示すように、発光部ホルダ４１の係合部４１ａの第１の延出部４１ｂと第２の延出部４１ｃとを、電池収納部材７１の被係合部７１ａの第１の空間７１ｂと第２の空間７１ｃとに嵌め込む（図６（ａ）、図４（ｂ）も参照）。
【００５９】
ここで、第２の延出部４１ｃは、第１の延出部４１ｂの延出端から、フック部７１ｅが形成されている方向に延出している。すなわち、第２の延出部４１ｃの延設方向は、光軸方向においてフック部７１ｅが設けられた側の方向（後方）である。これにより、被係合部７１ａが占める空間を最小限にすることができる。
【００６０】
ストロボ操作基板４３は、位置決め穴４３ａが位置決め部７１ｄに入り、さらにフック部７１ｅにより上下方向から挟持されることで、電池収納部材７１に対して全ての方向の動きが拘束されている。ただし、上述したように、上下方向についてだけは、所定の隙間の範囲で可動である。
【００６１】
上述したように、係合部４１ａと被係合部７１ａとの係合により、発光部ホルダ４１と電池収納部材７１とは上下方向以外の動きが所定範囲内で拘束される。しかも、ストロボ操作基板４３は、係合状態にある係合部４１ａ及び被係合部７１ａを上方から覆うように（蓋をするように）配置されることになる。従って、発光部ホルダ４１と電池収納部材７１とは、ストロボ操作基板４３を介して上下方向の相対的な動きも規制されることになる。ただし、フック部７１ｅが隙間を保ってストロボ操作基板４３を保持するので、ストロボ操作基板４３は、係合部４１ａ及び被係合部７１ａに当接または近接する。従って、発光部ホルダ４１と電池収納部材７１とは、上下方向についても多少の相対的な動きは許容される。
【００６２】
このように、適切な遊びを持って発光部ホルダ４１と電池収納部材７１とが仮固定状態となるため、両者が互いに必要以上に動かないで且つ簡単には分離しない、一体感及び剛性感のある仮ユニット２０になる。
【００６３】
次に、仮ユニット２０を組み立てた後のデジタルカメラ１００の組立工程を、図１０〜図１２を参照して説明する。
【００６４】
図１０（ａ）は、仮ユニット２０を前カバー３に組み付ける工程を示す斜視図である。仮ユニット２０は、前カバー３に対して光軸方向に組み付けられる。前カバー３を、裏側（背面側）を上にして受け台（不図示）に乗せ、仮ユニット２０を組み立てる。従って、光軸方向は重力の働く方向となる。仮ユニット２０を組み付ける際に、ストロボ操作基板４３上の回路の信頼性を落とさないようにするため、たとえ手袋や指サックをしていたとしても、ストロボ操作基板４３に直接触れることは避けたい。そこで、作業形態としては、左手で発光部ホルダ４１を把持し、仮ユニット２０の全体を前カバー３に落とし込む形態となる。
【００６５】
このように、仮ユニット２０の組み付けにおいて、発光部ホルダ４１を持つことで、電池収納部ユニット７０には重力によるモーメントが発生する。しかしここで、電池収納部材７１の上面に設けたフック部７１ｅが、ストロボ操作基板４３によって支えられるように作用する。すなわち、フック部７１ｅは、ストロボ操作基板４３の後縁部のうち、光軸方向及び上下方向の双方に垂直な方向（左右方向）における被係合部７１ａよりも、発光部ホルダ４１から遠い側（右側）の位置を挟持できる位置に設けられている（図５（ｂ））。これにより、仮ユニット２０の前側を下方に向け、発光部ホルダ４１を把持した状態であっても、上記のモーメントに抗して、フック部７１ｅを介してストロボ操作基板４３が支えとなる。よって、仮ユニット２０がばらけることなく組み立てることができる。
【００６６】
ところで、ストロボユニット４０のストロボ発光窓４（図１（ａ））はデジタルカメラ１００の外装部品であるため、このストロボ発光窓４に傷をつけるとデジタルカメラ１００が商品としての価値が損なわれる。上記した、左手で発光部ホルダ４１を把持して前カバー３に仮ユニット２０を落とし込む際、僅かであるが左手に捻りを加え、発光部ホルダ４１のストロボ発光窓４が発光部ホルダ４１の底部よりも下側となるような形で組み込まれることになる。
【００６７】
その際、まず、ストロボ発光窓４が前カバー３の発光部穴３ｈに入り、ストロボ位置決め部４１ｄが前カバー３の位置決め部３ｅに入る。そして、電池位置決め部７１ｆ（図８（ｂ））が前カバー３の位置決め部３ｆに入る。その後、ビス穴４１ｅ及びストロボビス座３ａを介して２本のビスで光軸２の方向にねじ込む。それと並行して、ビス穴７１ｇ及び電池ビス座３ｂを介して２本のビスで光軸２の方向にねじ込む。これにより、発光部ホルダ４１及び電池収納部材７１を前カバー３に固定する（本固定）。その際、上記したように、発光部ホルダ４１と電池収納部材７１とは、上下、左右、光軸方向に可動範囲を持っているため、両者の各々の前カバー３に対する位置決めに支障がない。また、二重嵌合になることもない。このようにして、ストロボユニット４０及び電池収納部ユニット７０が前カバー３に組み付けられる。
【００６８】
図１０（ｂ）は、鏡筒１及びメイン配線基板１１の組み立て工程を示す斜視図である。鏡筒１の後側に配置されたセンサーフレキ１３をメイン配線基板１１の接続部に差し込む。その後、鏡筒１及びメイン配線基板１１を、ストロボユニット４０及び電池収納部ユニット７０が前カバー３に組み付けられてなる組体（図１０（ａ））に対して同時に落とし込むように光軸方向に組み付け、光軸方向にビスをねじ込んで固定する。
【００６９】
鏡筒１とストロボユニット４０とは共に光軸方向から前カバー３に組み込まれるため、光学的な精度が保たれる。メイン配線基板１１の位置決め穴１１ａには、電池収納部材７１の位置決め部７１ｉ（図５（ｂ）、図１０（ｂ））が入り、ビス座７１ｊ（図５（ｂ））を使ってビス止めする。
【００７０】
図１１（ａ）は、操作フレキ１４及び液晶ユニット８０の組み立て工程を示す斜視図である。操作フレキ１４をメイン配線基板１１とストロボ操作基板４３に設けた接続部に差し込む。その後、液晶ユニット８０を組み付ける際に、接続された操作フレキ１４は、一時的にデジタルカメラ１００の上面側に退避させておくことで、液晶ユニット８０は真っ直ぐに組立てることが可能になる。
【００７１】
次に、液晶表示器８が液晶補強板８１に固定された液晶ユニット８０として光軸方向に組み付けられる。液晶補強板８１の位置決め穴８１ａには、電池収納部材７１の位置決め部７１ｋ（図５（ｂ）、図１１（ａ））が入り、液晶表示器８から延出されている液晶ＦＰＣをメイン配線基板１１の接続コネクタに差し込む。
【００７２】
その後、発光部ホルダ４１のビス座４１ｆを介して光軸方向にビス締めし、電池収納部材７１のビス座７１ｍ（図５（ｂ））に、メイン配線基板１１と共締めするように光軸方向にビス締めする。共締めすることで、液晶表示器８や液晶補強板８１の金属部分をグランドラインに接地する。
【００７３】
また、液晶補強板８１には発光部カバー４４に組み込まれたスピーカ４５（図３（ａ））に電気的に接続される延設部（不図示）が設けられている。これにより、スピーカ４５はデジタルカメラ１００のメインＧＮＤと接続され、カメラ外部からの静電気の飛び込みを軽減させることができる。その後、一時的に退避させておいた操作フレキ１４を、液晶補強板８１に設けた受け台に載せ、位置決めと固定がなされる。
【００７４】
図１１（ｂ）は、上面操作ユニット５０の組み立て工程を示す図である。この図１１（ｂ）では、便宜上、立てて示している。ストロボ操作基板４３と上面操作ユニット５０が電池収納部材７１の上方にあり、唯一、この上面操作ユニット５０は光軸２と直角方向に組み付けるからである。しかし実際には、図１１（ａ）と同様に、前カバー３の正面を下方に伏せた状態のままで作業する。
【００７５】
従って、上面操作ユニット５０は横から組み付けられる。上面操作ユニット５０は、ストロボ操作基板４３を挟んで電池収納部材７１に押し付けた状態で、電池収納部材７１と共に前カバー３に共締めされる。その際、ビスは、ビス穴７１ｈ（図５（ａ））、取付け用の穴５ｂ（図８（ａ））、上面カバービス座３ｄ（図７（ａ））を介して光軸方向にねじ込まれる。ストロボ操作基板４３には専用の締結部材を用いていない。
【００７６】
図１２は、後カバーユニット６０及び電池蓋１０の組み立て工程を示す斜視図である。図１１（ｂ）において組み付けられた組体に対し、後カバーユニット６０と電池蓋１０を取り付けて、デジタルカメラ１００を完成させる。後カバー６はデザインを左右する外装部品であるため、ビスは光軸方向ではなく、光軸と直角の方向、すなわちデジタルカメラ１００の横方向や下方向からねじ込まれる。
【００７７】
本実施の形態によれば、ストロボ操作基板４３には、ストロボ回路と上面操作部材に対応するスイッチ類とが実装され、操作部材関連及び発光関連の基板が１つに集約されている。これにより、小型化に寄与し、係止や連結用の部材も少なくて済む。
【００７８】
また、ストロボユニット４０及び電池収納部ユニット７０を一体化した仮ユニット２０としてから前カバー３に組み付けるので、一体として扱い易く、作業性がよい。特に、仮ユニット２０は一体化されて容易には分離せず、なおかつストロボユニット４０及び電池収納部ユニット７０は、前カバー３への本固定の際には個々に可動可能になっているため、各々位置決めでき、二重固定とならず組み立て精度も高い。
【００７９】
すなわち、仮ユニット２０においては、ストロボ操作基板４３の位置決め穴４３ａが電池収納部材７１の位置決め部７１ｄに係合することで、光軸方向と左右方向とにおいて電池収納部材７１に対するストロボ操作基板４３が位置決めされる。それと共に、ストロボ操作基板４３は、係合状態にある係合部４１ａ及び被係合部７１ａを上方から覆うように配置され、フック部７１ｅにより、ストロボ操作基板４３が上下方向から挟持される。そして、発光部ホルダ４１と電池収納部材７１とは、一体となった仮ユニット２０とされた状態で前カバー３に対して各々位置決めされて固定される。ここで、係合部４１ａと被係合部７１ａとは遊びを持って係合するので、光軸方向と左右方向に所定範囲で動けるように規制される。また、ストロボ操作基板４３はフック部７１ｅによって所定の隙間を保って挟持されるので、上下方向においても所定範囲で動けるように規制される。このような構成により、仮ユニット２０としての一体の状態を維持する剛性が確保される。
【００８０】
よって、組み立て性を低下させることなく操作部材関連及び発光関連の基板を集約して、部品点数を削減すると共に小型化を図ることができる。
【００８１】
しかも、フック部７１ｅは、ストロボ操作基板４３の後縁部のうち、左右方向における被係合部７１ａよりも、発光部ホルダ４１から遠い側の位置を挟持できる位置に設けられている。これにより、発光部ホルダ４１を把持して、仮ユニット２０を多少傾けるような、通常想定される作業態様においても、電池収納部材７１がフック部７１ｅを介してストロボ操作基板４３によって適切に支えられるので、仮ユニット２０がばらけにくく扱い易い。
【００８２】
ところで、係合部４１ａ及び被係合部７１ａは、Ｌ字の鉤型としたが、このような形状に限るものではない。すなわち、発光部ホルダ４１と電池収納部材７１との水平方向（光軸方向及び左右方向）の相対的な動きを所定範囲で規制できればよく、雄型、雌型の関係も逆であってもよい。例えば、係合部４１ａについて例示すれば、Ｔ字型や十字型としてもよい。あるいは、第２の延出部４１ｃに代えて、第１の延出部４１ｂの先端に、第１の延出部４１ｂよりも前後方向に幅広の部分（円形や角形等）を形成してもよい。また、位置決め穴４３ａと位置決め部７１ｄとについても、形状は問わないし、雄型、雌型の関係が逆であってもよい。
【００８３】
ところで、発光部ホルダ４１と電池収納部材７１とが固定される「被取り付け部材」として前カバー３を示したが、それに限られない。例えば、前カバー３の後側において前カバー３に固定される部材が介在する場合、その介在する部材であってもよい。
【００８４】
なお、本発明が適用される撮像装置としては、デジタルスチルカメラに限られず、例えば、ビデオカメラであってもよい。
【００８５】
以上、本発明をその好適な実施形態に基づいて詳述してきたが、本発明はこれら特定の実施形態に限られるものではなく、この発明の要旨を逸脱しない範囲の様々な形態も本発明に含まれる。
【符号の説明】
【００８６】
３  前カバー
２０  仮ユニット
４１  発光部ホルダ
４１ａ  係合部
４３  ストロボ操作基板
４３ａ  位置決め穴
７１  電池収納部材
７１ａ  被係合部
７１ｄ  位置決め部
７１ｅ  フック部
【図１】
2012133181.tif 000003
【図２】
2012133181.tif 000004
【図３】
2012133181.tif 000005
【図４】
2012133181.tif 000006
【図５】
2012133181.tif 000007
【図６】
2012133181.tif 000008
【図７】
2012133181.tif 000009
【図８】
2012133181.tif 000010
【図９】
2012133181.tif 000011
【図１０】
2012133181.tif 000012
【図１１】
2012133181.tif 000013
【図１２】
2012133181.tif 000014